(57)【要約】【課題】ダンパーによる制振構造を備えた簡易で経済的な塔状構造物を提供する。【解決手段】本発明に係る塔状構造物１は、塔状構造部（鉄塔２）と、塔状構造部の側面より外側に突出したダンパー支持部３と、ダンパー４とを備え、ダンパーの一端がダンパー支持部に取付けられ、ダンパーの他端が塔状構造部に取付けられた。本発明に係る塔状構造物は、塔状構造部と、塔状構造部の側面において上下方向の間隔を隔てて塔状構造部の側面より外側に突出する上下の複数のダンパー支持部と、ダンパーとを備え、ダンパーの一端が上下に隣り合う一方のダンパー支持部に取付けられ、ダンパーの他端が上下に隣り合う他方のダンパー支持部に取付けられた。【選択図】図１
2009209633.tif 000002
【特許請求の範囲】
【請求項１】
塔状構造部と、塔状構造部の側面より外側に突出したダンパー支持部と、ダンパーとを備え、ダンパーの一端がダンパー支持部に取付けられ、ダンパーの他端が塔状構造部に取付けられたことを特徴とする塔状構造物。
【請求項２】
塔状構造部と、塔状構造部の側面において上下方向の間隔を隔てて塔状構造部の側面より外側に突出する上下の複数のダンパー支持部と、ダンパーとを備え、ダンパーの一端が上下に隣り合う一方のダンパー支持部に取付けられ、ダンパーの他端が上下に隣り合う他方のダンパー支持部に取付けられたことを特徴とする塔状構造物。
【請求項３】
塔状構造部が、鉄筋コンクリート構造体、又は、鉄骨構造体であることを特徴とする請求項１又は請求項２に記載の塔状構造物。
【発明の詳細な説明】
【技術分野】
【０００１】
本発明は、ダンパーによる揺れ低減効果の高い塔状構造物に関する。
【背景技術】
【０００２】
内側の筒状構造部と、筒状構造部の周囲を囲む外側の塔状構造部と、筒状構造部と塔状構造部とを繋ぐダンパーとを備えた塔状構造物が知られている。この塔状構造物においては、ダンパーによる制振構造を構築するために、ダンパーの一端を筒状構造部に取付け、ダンパーの他端を塔状構造部に取付ける必要があるため、ダンパーによる制振構造を得るために内側の筒状構造部と外側の塔状構造部との二重構造を必要としていた。
【特許文献１】特開２００７−８５０２３号公報
【発明の開示】
【発明が解決しようとする課題】
【０００３】
しかしながら、上記のような、筒状構造部と塔状構造部とによる内外の二重構造の塔状構造物は、コストや工期が嵩み、不経済である。
本発明は、上記問題点に鑑みてなされたもので、ダンパーによる制振構造を備えた簡易で経済的な塔状構造物を提供する。
【課題を解決するための手段】
【０００４】
本発明に係る塔状構造物は、塔状構造部と、塔状構造部の側面より外側に突出したダンパー支持部と、ダンパーとを備え、ダンパーの一端がダンパー支持部に取付けられ、ダンパーの他端が塔状構造部に取付けられたことを特徴とする。
本発明に係る塔状構造物は、塔状構造部と、塔状構造部の側面において上下方向の間隔を隔てて塔状構造部の側面より外側に突出する上下の複数のダンパー支持部と、ダンパーとを備え、ダンパーの一端が上下に隣り合う一方のダンパー支持部に取付けられ、ダンパーの他端が上下に隣り合う他方のダンパー支持部に取付けられたことを特徴とする。
塔状構造部が、鉄筋コンクリート構造体、又は、鉄骨構造体であることも特徴とする。
【発明の効果】
【０００５】
本発明による塔状構造物によれば、塔状構造部の側面より外側に突出したダンパー支持部を設けたことにより、二重構造を不要とでき、ダンパーによる制振構造を備えた簡易で経済的な塔状構造物を提供できる。
また、コア壁のような鉄筋コンクリート構造体、又は、鉄塔のような鉄骨構造体により形成された塔状構造部を用いて、ダンパーによる制振構造を備えた簡易で経済的な塔状構造物を提供できる。
【発明を実施するための最良の形態】
【０００６】
最良の形態１
図１及び図２は最良の形態１を示し、図１は塔状構造物の概略構成を示し、図２は鉄塔とダンパー支持部とに繋がれたダンパーを断面で示す。
図１に示すように、塔状構造物１は、鉄骨構造体により形成された塔状構造部としての鉄塔２と、ダンパー支持部３と、ダンパー４とを備える。鉄塔２は、基礎５から上方に延長するように構築された構成である。
ダンパー支持部３は、鉄塔２の側面において上下方向の間隔を隔てて鉄塔２の側面より外側に突出した複数の剛体構造物により形成される。ダンパー支持部３は、例えば、鉄塔２の周面を囲むような環形状に構築された鉄骨構造体により形成される。
【０００７】
ダンパー４は、ダンパー４の一端１６が鉄塔２の側面に取付けられ、ダンパー４の他端１８がダンパー支持部３に取付けられる。
ダンパー４は、図２に示すように、相対的に直線運動を行う作動体１２と筒状筐体１３とによって棒状に形成された棒状本体１４を備える。この棒状本体１４は、筒状筐体１３と筒状筐体１３の筒の中心軸線上において筒状筐体１３の内外に跨って設けられた作動体１２とを有し、筒状筐体１３の筒の中心軸線に沿って作動体１２と筒状筐体１３とが相対的に直線運動可能に形成された構成である。
最良の形態１によれば、ダンパー４は、棒状本体１４の一端１６（ダンパー４の一端）と鉄塔２の側面との一端側取付部１７と棒状本体１４の他端１８（ダンパー４の他端）とダンパー支持部３との他端側端取付部１９とが上下にずれた位置に設けられ、作動体１２と筒状筐体１３とが相対的に直線運動を行う方向（以下、相対的直線運動方向という）が水平面１１に対して上下方向に傾斜する向きとなるように取付けられた構成となる。
ダンパー４が、例えば、図２に示すように、筒状筐体１３としてのシリンダー２１と、シリンダー２１内外に跨るように一端がシリンダー２１内に位置され他端がシリンダー２１の一端から突出するピストンロッド２２と、シリンダー２１内に位置されたピストンロッド２２に設けられたピストン２３と、ピストン２３で区画された油圧室２４と、油圧室２４に対する図外の油圧給排機構とを備えたオイルダンパーの場合、作動体１２がピストンロッド２２とピストン２３とにより形成され、棒状本体１４がシリンダー２１とピストンロッド２２とピストン２３とにより形成される。
【０００８】
最良の形態１によれば、鉄塔２の側面より外側に突出したダンパー支持部３を設けたことにより、ダンパー４の他端の取付箇所を確保できたので、従来のような二重構造を不要とでき、ダンパー４による制振構造を備えた簡易で経済的な塔状構造物を得ることができる。
最良の形態１によれば、ダンパー４が、相対的直線運動方向が水平面１１に対して斜め方向となるように設置されるので、鉄塔２が風や地震などの水平外力を受けた場合に、鉄塔の曲がる方向とダンパー４の相対的直線運動方向とが同じ方向となるため、ダンパー４の効きが良くなる。よって、水平外力に対する揺れをダンパー４により効果的に低減できる揺れ低減効果の高い塔状構造物１となる。
また、水平外力に対するダンパー４の効きが良くなることから、ダンパー４の設置数を少なくできたり、最大減衰力の小さいダンパー４を使用できるようになる。
尚、最良の形態１のように、相対的直線運動方向が水平面１１に対して斜め方向となるようにダンパー４を設置する場合、ダンパー４の他端とダンパー支持部３との他端側端取付部１９と鉄塔２の側面との間の距離が長いほどダンパー４の効きが良くなる。
【０００９】
最良の形態２
図３に示すように、鉄塔２の側面において上下方向の間隔を隔てて鉄塔２の側面より外側に突出した剛体構造物により形成された複数のダンパー支持部３を備えた構成において、ダンパー４の一端が上下に隣り合う一方のダンパー支持部３に取付けられ、ダンパー４の他端が上下に隣り合う他方のダンパー支持部３に取付けられた構成とした。
最良の形態２においても、最良の形態１と同様な効果が得られる。また、上下に隣り合うダンパー支持部３とダンパー支持部３との間の距離を短くすれば、スパンの短い安価なダンパー４を使用できるため、経済的となる。
【００１０】
最良の形態３
図４に示すように、事務所ビルのような建物１０の頂部１０ｔに鉄塔２のような塔状構造部を備えた塔状構造物１における鉄塔２部分に、最良の形態１又は請求項２に示したダンパー４による制振構造を適用すれば、建物の頂部１０ｔに塔状構造部２を備えた塔状構造物１において、最良の形態１；２と同様な効果を得ることができる。
【００１１】
最良の形態４
鉄筋コンクリート構造体により形成された塔状構造部としての壁体に上記ダンパー支持部３を設けて、ダンパー４の一端が壁体の側面に取付けられ、ダンパー４の他端がダンパー支持部３に取付けられた構成とすれば、最良の形態１乃至３と同様な効果が得られる。
【産業上の利用可能性】
【００１２】
ダンパー４としては、粘性体ダンパー、摩擦ダンパー、鋼材ダンパーなどのダンパーを用いてもよい。
【図面の簡単な説明】
【００１３】
【図１】塔状構造物の概略構成図（最良の形態１）。
【図２】鉄塔とダンパー支持部とを繋ぐダンパーを示す断面図（最良の形態１）。
【図３】塔状構造物の概略構成図（最良の形態２）。
【図４】塔状構造物の概略構成図（最良の形態３）。
【符号の説明】
【００１４】
１  塔状構造物、２  鉄塔（塔状構造部）、３  ダンパー支持部、４  ダンパー。
【図１】
2009209633.tif 000003
【図２】
2009209633.tif 000004
【図３】
2009209633.tif 000005
【図４】
2009209633.tif 000006